(57)【要約】【課題】  十字キーやタッチセンサを搭載した携帯電話機等の携帯情報機器において、受信したメールの内容が非常に長い場合には、何度も十字キーやタッチセンサをなぞる操作を行わなければならず、手間がかかり時間もかかる作業であった。【解決手段】  情報を表示するための表示手段と、数字が割り当てられた複数のキーを有するキー入力手段と、前記キー入力手段のキーの入力を受け付ける受付手段と、物体の接触および接触位置を検出する検出手段と、前記検出手段により検出された物体の接触する位置の変化を検出する位置検出手段と、前記受付手段によりキーの入力が受け付けられ、前記位置検出手段により接触の位置の変化が検出されたとき、受け付けたキーに割り当てられた数字および前記接触の位置の変化に基づき、前記表示手段の表示のスクロール制御を行う表示制御手段とを備えることを特徴とする携帯情報機器である。【選択図】  図５
2008252496.tif 000002
【特許請求の範囲】
【請求項１】
情報を表示するための表示手段と、
数字が割り当てられた複数のキーを有するキー入力手段と、
前記キー入力手段のキーの入力を受け付ける受付手段と、
物体の接触および接触位置を検出する検出手段と、
前記検出手段により検出された接触位置の変化を検出する位置検出手段と、
前記受付手段によりキーの入力が受け付けられ、前記位置検出手段により接触位置の変化が検出されたとき、受け付けたキーに割り当てられた数字および前記接触位置の変化に基づき、前記表示手段の表示のスクロール制御を行う表示制御手段と
を備えることを特徴とする携帯情報機器。
【請求項２】
前記表示制御手段は、前記接触位置の変化する方向を表示のスクロール方向とすることを特徴とする請求項１乃に記載の携帯情報機器。
【請求項３】
前記表示制御手段は、前記キーに割り当てられた数字を表示のスクロールの移動量とすることを特徴とする請求項１に記載の携帯情報機器。
【請求項４】
前記表示手段は、情報を行単位で表示し、
前記移動量は、行数とすることを特徴とする請求項３に記載の携帯情報機器。
【請求項５】
前記表示手段は、同時に表示可能な情報を画面単位で表示し、
前記移動量は、画面数とすることを特徴とする請求項３または４に記載の携帯情報機器。
【請求項６】
前記表示制御手段は、前記受付手段でキーの入力を受け付けたのち、位置検出手段により位置の変化を検出するまでの間、検出手段により接触を検出していたときには、前記表示手段の表示のスクロール制御を行うことを特徴とする請求項１乃至５に記載の携帯情報機器。
【請求項７】
前記表示制御手段は、位置検出手段により接触位置の変化が検出され、所定のキーが押下されたとき、スクロール制御を継続することを特徴とする請求項１乃至６に記載の携帯情報機器。
【請求項８】
前記表示制御手段は、前記受付手段によりキーの入力を受け付けてから所定時間内に接触位置の変化が検出されたとき、受け付けたキーに割り当てられた数字および前記接触位置の変化に基づき、前記表示手段の表示のスクロール制御を行うことを特徴とする請求項１乃至７に記載の携帯情報機器。
【請求項９】
情報を再生する再生処理を行う再生手段と、
数字が割り当てられた複数のキーを有するキー入力手段と、
前記キー入力手段のキーの入力を受け付ける受付手段と、
物体の接触および接触位置を検出する検出手段と、
前記検出手段により接触位置の変化を検出する位置検出手段と、
前記受付手段によりキーの入力が受け付けられ、前記位置検出手段により接触位置の変化が検出されたとき、受け付けたキーに割り当てられた数字および前記接触位置の変化に基づき、前記再生手段の再生処理の制御を行う表示制御手段と
を備えることを特徴とする携帯情報機器。
【請求項１０】
前記再生手段は、前記キーに割り当てられた数字を再生処理の再生速度として規定することを特徴とする請求項９に記載の携帯情報機器。
【発明の詳細な説明】
【技術分野】
【０００１】
本発明は、携帯情報機器に関し、特にたとえば電子メールやＷＥＢなどの情報を表示することができる携帯電話機に関するものである。
【背景技術】
【０００２】
従来、例えば携帯電話機等の携帯情報機器には、文字や数字などを入力する際に用いるテンキーや電源ＯＮ／ＯＦＦを行うための電源キー１７などのキーに加え、メニューの項目の選択や文字入力時のカーソルを移動する際に押下する上下左右の方向が割り当てられた十字キー（マルチファンクションキーとも言う）が設けられている。ユーザは、この十字キーを押下することによりカーソルの移動や画面をスクロールすることができる。
【０００３】
しかし、この十字キーによるカーソルの移動や画面のスクロールは、移動方向が上下左右に限られる。また移動する量は、十字キーの押下１回に対して、例えばメニューの項目１つ分やメールの本文１行分と予め定められている。従って、ユーザは、移動させたい量が多いときには、十字キーを何度も押下しなければならず、手間がかかり時間もかかってしまう。
【０００４】
そこで、テンキーをカバーする領域に指の接触を検知するためのタッチセンサを配置し、タッチセンサ上を指でなぞったときの移動方向や移動量や移動軌跡に基づき、メニューの項目の選択や画面のスクロールを行うことが考えられている。
【特許文献１】特開２００６−３０２１８４号公報
【発明の開示】
【発明が解決しようとする課題】
【０００５】
特許文献１のような従来の携帯電話端末は、カーソルの移動や画面がスクロールする方向が上下左右以外にも斜め方向に動かすことができる。この場合、カーソルの移動や画面のスクロール量は、ユーザの指を移動させる量に応じて変化する。具体的には、指の移動量が小さければカーソルの移動量や画面のスクロール量は小さくなり、指の移動量が大きければ、カーソルの移動量や画面のスクロール量は大きくなる。しかし、このような場合であっても、受信したメールの内容が非常に長い場合には、表示が複数ページの画面に亘ることになり、やはり何度も何度も指をテンキーの上から下へなぞる操作を行わなければ、手間がかかり時間もかかる作業であった。
【課題を解決するための手段】
【０００６】
上記課題を解決するために本発明の第１の実施形態の携帯情報機器は、情報を表示するための表示手段と、数字が割り当てられた複数のキーを有するキー入力手段と、キー入力手段のキーの入力を受け付ける受付手段と、物体の接触および接触位置を検出する検出手段と、検出手段により検出された接触位置の変化を検出する位置検出手段と、受付手段によりキーの入力が受け付けられ、位置検出手段により接触位置の変化が検出されたとき、受け付けたキーに割り当てられた数字および前記接触位置の変化に基づき、前記表示手段の表示のスクロール制御を行う表示制御手段とを備えることを特徴とするものである。
【発明の効果】
【０００７】
本発明の実施形態によれば、数字が割り当てられたキーを押下し、タッチセンサ上を指でなぞることにより、なぞる方向と押下された数字キーに基づいたカーソルの移動や画面のスクロールを行うことができる。
【０００８】
この発明の上述の目的、その他の目的、特徴および利点は、図面を参照して行う以下の実施例の詳細な説明から一層明らかとなろう。
【発明を実施するための最良の形態】
【０００９】
［実施の形態１］
本発明の実施の形態１について、図１〜図５に基づいて説明する。
【００１０】
図１は、本発明の実施形態である携帯電話機１の外観の例を示している。携帯電話機１は、上部筐体２と下部筐体４とがヒンジ部３で連結されている。
【００１１】
図１に示す携帯電話機１の上部筐体２は、ディスプレイ５とスピーカ６とカメラ装置９とを備えている。一方、下部筐体４は、複数のキーが設けられた操作部７とマイクロフォン８と備えている。
【００１２】
図２は、図１に示す下部筐体４の外観を拡大した例である。図２に示す操作部７には、ソフトキー１１ａと１１ｂ、メール機能を起動するためのメールキー１２、Ｗｅｂ機能を起動するためのＷｅｂキー１３、上下左右の方向が割り当てられておりカーソルの移動や表示のスクロールを指示するための十字キー１４、ダイヤル（発呼）または着信に対して応答（オフフック）するための通話キー１５、文字入力モードにおいて入力した文字を消去するまたは１つ前の画面に戻るためのクリアキー１６、終話および電源をＯＮ／ＯＦＦするための電源キー１７、０〜９の数字や文字（ひらがな、英字）が割り当てられ、これらを入力するためのキー入力手段としてのテンキー１８と、＊キー１９および＃キー２０とが設けられている。そして、テンキー１８、＊キー１９および＃キー２０を囲む領域には、指やペンなどの物体が接触したときに接触位置を検知するためのタッチセンサ２１が設けられている。なお、このタッチセンサ２１は、静電容量方式または感圧方式など、指やペンの接触位置が検知可能な方法であればいずれの方法でもよい。
【００１３】
図３は、この実施例の携帯電話機１のブロック図を示している。この実施の形態１の携帯電話機１は、無線通信回路３０、ＣＰＵ４８、電源回路５０、バッテリ５２、操作部５４、タッチセンサ５６、ディスプレイ５８、メモリ６０、時計回路６２を含む。
【００１４】
無線通信回路３０は、アンテナ３２、無線回路３４、信号処理回路３６、ＡＤ／ＤＡ変換回路３８、アンプ４０、４２、スピーカ４４およびマイクロフォン４６を含んでいる。携帯電話機１は、基地局と無線接続してアンテナ３２により音声データを受信する。受信した音声データは、無線回路３４によって復調された後、信号処理回路によって信号処理が施される。信号処理が施された音声データは、ＡＤ／ＤＡ変換回路３８によってアナログ信号である音声信号に変換され、変換された音声信号は、アンプ４０を介してスピーカ４４から出力される。また、携帯電話機１のユーザがマイクロフォン４６に音声を発した場合、音声信号は、アンプ４２を介し、ＡＤ／ＤＡ変換回路３８によってデジタル信号である音声データに変換される。信号処理回路３６は、変換された音声データを符号化し、無線回路３４は、信号処理回路３６から出力される音声データを変調する。そして、変調された音声データは、アンテナ３２から送信される。
【００１５】
次にＣＰＵ４８は、携帯電話機１の各構成の制御を司る機能を備えている。電源回路５０は、バッテリ５２から携帯電話機１の各構成に電源供給を行う。ここでバッテリ５２は、リチウムイオン電池など何れの電池であってもよい。操作部５４は、ユーザ操作を受け付け、受け付けたユーザ操作をＣＰＵ４８へ出力する。この操作部５４は、上述したソフトキー１１ａと１１ｂ、メールキー１２、Ｗｅｂキー１３、十字キー１４、通話キー１５、クリアキー１６、電源キー１７、テンキー１８、＊キー１９および＃キー２０とを含む。タッチセンサ５６は、操作部５４の一部を覆う領域に設けられており、ユーザの指などの誘電体が接触したことおよび接触した位置座標をＣＰＵ４８へ出力する。なお、操作部５４の各キーとタッチセンサ５６は、例えば特開２００５−１８２８４号公報や特開２００５−３３８９４９号公報などで開示されているような公知の構成とする。ディスプレイ５８は、ＣＰＵ４８が指示する情報を表示する。具体的には、メニュー画面、メール、Ｗｅｂ情報、カメラ９で撮影した静止／動画像などを表示するものであり、ＬＣＤ（Ｌｉｑｕｉｄ  Ｃｒｙｓｔａｌ  Ｄｉｓｐｌａｙ）や有機ＥＬ（Ｏｇａｎｉｃ  Ｅｌｅｃｔｒｏｌｕｍｉｎｅｓｃｅｎｃｅ  Ｄｉｓｐｌａｙ）などが用いられる。メモリ６０は、携帯電話機１を制御するためのＣＰＵ４８が実行するプログラムや様々なアプリケーション、静止／動画像や音楽データなどを記憶する。このメモリ６０は、情報を記憶するものであればよく、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリやハードディスクなどが用いられる。時計回路６２は、現在の時刻を管理する機能を備えている。さらに、所定時間を計時するタイマー機能の役割も備えている。
【００１６】
この実施の形態１の携帯電話機１は、音声データの送受信以外に電子メール（以下、メールという）を送受信することができる。メールを送信する場合、ユーザはディスプレイを見ながら操作部５４によりメールを作成し、送信を指示する。ユーザから送信の指示を受け付けるとＣＰＵ４８は、メールデータを信号処理回路３６に与える。メールデータは、信号処理回路３６により符号化処理および無線回路３４によって変調処理が行われて、アンテナ３２から送信される。一方、基地局からアンテナ３２を介してメールデータを受信した場合、受信したメールデータは、無線回路３４により復調処理および信号処理回路３６により復号処理が行われ、ＣＰＵ４８に出力される。ＣＰＵ４８は、このメールデータをメモリ６０に記憶する。
【００１７】
メモリ６０に記憶されたメールデータは、図４に示すフロー図に従って、ユーザが操作部５４を操作することによりディスプレイ５８表示させることができる。そして、ユーザは、図５に示すフロー図に従って、操作部５４を操作することにより画面のスクロールを行うことができる。
【００１８】
本実施の形態１における携帯電話機１のＣＰＵ４８の処理動作を図４に示すフローチャートを用いて説明する。ステップＳ１では、メールを受信したかどうか判断し、ＮＯであれば上階層のルーチン、例えば待ち受け表示処理を行う。ＹＥＳであればステップＳ３に進み、操作部５４によって本文の表示指示が行われたかどうか判断する。ＮＯであれば、ステップＳ１でＮＯの場合と同様に上階層へ復帰する。もしＹＥＳであれば、ステップＳ５に進む。ステップＳ５では、ＣＰＵ４８は、本文をディスプレイ５８に表示させる。ステップＳ７では、表示させたい本文の文字数が、ディスプレイ５８の１画面に表示させることができる文字数を超えるか判断する。ＮＯであればステップＳ１３に進む。ここでＹＥＳであれば、表示をスクロールさせなければ表示されていない文字を表示することができないと判断されたことになる。ステップＳ９では、ユーザによりスクロール指示が行われたか判断する。ＮＯであればステップＳ１３へ進む。ＹＥＳであればＣＰＵ４８は、ステップＳ１１へ進みスクロール処理を行う。このスクロール処理の詳細については、図５を用いて後述する。ステップＳ１３では、ユーザによりスクロール指示ではない他の指示が行われたか判断する。ここで他の指示とは、例えば「返信」というメニューがソフトキー１１ａに割り当てられているので、ソフトキー１１ａを押下することである。ステップＳ１３でＮＯであれば、ステップＳ１７へ進む。ＹＥＳであれば、ＣＰＵ４８は指示された処理を行う。上述のように、「返信」という指示であれば、メールの送信元に対する返信メールを作成する画面に移行させる処理を行う。ステップ１７では、ユーザによりメールの本文表示の終了指示が行われたか判断する。ＮＯであればステップＳ７に戻り、ＹＥＳであれば終了する。
【００１９】
図４のステップＳ１１のスクロール処理は、図４のステップＳ９において、スクロール指示が行われると実行される。このスクロール指示とは、例えばユーザが、テンキーの「２」キーを押下し、指を操作部５４から一旦離す。そして、再びテンキーの「２」キーに触れ、テンキーの「５」キー「８」キーの順になぞる操作のことをいう。スクロール処理は、ヒンジ部３を上とした場合には、タッチセンサ２１に対して上から下向きに接触位置の変化が検出されるような操作が行われたときに実行される。以下、この例に基づき、図４のステップＳ１１のスクロール処理について、図５を参照しながら説明する。
【００２０】
図５のステップＳ２１では、ＣＰＵ５８は、タッチセンサ５６から指が触れられたか判断する。指が触れていなければＮＯであり、ステップＳ３１へ進む。上記の例のようにテンキー「２」を押下した場合、ステップＳ２１ではＹＥＳであり、ステップＳ２３へ進む。ステップＳ２３では、指の触れた位置座標が変化したか判断する。ここでは「２」キーは押下されたが、移動していないのでＮＯと判断しステップＳ３３へ進む。ステップＳ３３では、テンキーのいずれかが押下されたか判断する。もしユーザの指が操作部５４には触れているが触れた位置が変化しておらず、テンキーも押下されていない場合には、ＮＯと判断しステップＳ３７へ進む。この例では「２」キーが押下されたのでステップＳ３３ではＹＥＳと判断し、ステップＳ３５へ進む。ステップＳ３５では押下されたテンキーの数字ｎに基づき、デフォルトの移動量Ｓｃ＝１からＳｃ＝ｎへ更新する。なおこのＳｃは、スクロールの移動量を表すものであり、デフォルトはＳｃ＝１である。Ｓｃ＝１の場合は、１回のスクロール指示に対し１行スクロールするものと規定される。ステップＳ３５では、「２」キーが押下されたので１回のスクロール指示に対し２行分スクロールするものと規定し、移動量ＳｃをＳｃ＝１からＳｃ＝２に設定しなおすしステップ３１へ進む。一方、ステップＳ３７では、＊キーまたは＃キーが押下されたか判断する。ＮＯであればステップＳ３１へ進み、ＹＥＳであればステップＳ３９へ進む。ステップＳ３９では、それぞれのキーに割り当てられた処理を行い、ステップＳ３１へ進む。ステップＳ３９のキーに割り当てられた処理とは、例えば、ユーザが＊キーを押下することにより、ＣＰＵ４８は、表示する文字サイズを小さくし、一方、＃キーを押下することにより、表示する文字サイズを大きくするなどのことをいう。ステップＳ３１では、終了指示をされたか判断する。ここで終了指示とは、終話キーの押下や図４のステップＳ１３の他の指示でもよい。上記の例では、「２」キーを押下したのち、指を「５」キーと「８」キーの順になぞる操作を行ったので、ステップＳ３１ではＮＯと判断されステップＳ２１へ戻る。次にステップＳ２１では、ＹＥＳと判断しステップＳ２３へ進む。ステップＳ２３では、ユーザの指は「２」→「５」→「８」キーへと移動したのでＹＥＳと判断し、ステップＳ２５へ進む。ステップＳ２５では、スクロール移動量ＳｃがＳｃ＝１か判断する。ＹＥＳであればステップＳ２７へ進み、画面を１行分下方向へスクロールさせてステップＳ３１へ進む。ここでは、Ｓｃ＝１からＳｃ＝２に更新されているので、ステップＳ２５ではＮＯと判断しステップＳ２９へ進む。ステップＳ２９では、Ｓｃ＝２と記憶されているので画面を２行分下方向へスクロールさせてステップＳ３１へ進む。そして、ステップＳ３１で終了指示がされたと判断されるとＹＥＳでスクロール処理を終了する。
【００２１】
以上のように本発明の実施の形態１の携帯電話機１は、ユーザにより押下されたテンキーの数字ｎをスクロールの移動量Ｓｃ＝ｎと設定する。そして、ユーザの操作部５４への触れた位置の変化に基づき、設定されたＳｃ＝ｎの移動量で表示している画面のスクロールを行う。これによりユーザは、本文が長いメールを読む場合、一度にスクロールした量をテンキーの押下により設定できる。そして、キーを押下することなく、画面をスクロールさせたい方向に操作部５４をなぞれることにより簡単にスクロールを行うことができる。
【００２２】
［実施形態２］
上記実施の形態１では、ユーザは、テンキーの「２」キーが押下する。そして、ユーザは一旦操作部５４から指を離し、そして、テンキーの「２」キーに再び触れ、テンキーの「５」キー「８」キーの順になぞる操作を行うこととした。しかし、本実施の形態２では、ユーザは、テンキーの「２」キーを押下する。そして、ユーザは、指を離すことなく操作部５４に触れたまま、テンキーの「５」キー「８」キーの順になぞる操作を行ったときにのみ、テンキーの数字ｎを移動量Ｓｃ＝ｎをしたスクロール処理を行うものとする。
【００２３】
本実施の形態２における携帯電話機１の外観は、図１と同一であり説明は省略する。また、メールを受信し、表示し、スクロール処理を行うまでの流れは、実施の形態１における図４のフロー図とも同一であるので説明は行わない。この実施の形態２について、図６を参照し説明する。ここで実施の形態１のフロー図５と異なる点は、ステップＳ２３でＹＥＳと判断したときに進むステップＳ５１、その次に進むステップＳ５３とステップＳ５５である。なお、この図６では、ステップＳ５１〜Ｓ５５以外は、図５と同一である。従って、ここではステップＳ５１〜Ｓ５５以外の説明を省略する。
【００２４】
上記の例のように「２」キーを押下し、操作部５４から指を離すことなく、「２」→「５」→「８」となぞった場合、ステップＳ２３では、ユーザの指が「２」から「８」へ移動したのでＹＥＳと判断する。ステップＳ５１では、「２」キーを押下したのち一旦操作部５４から指が離れていればＮＯと判断し、ステップＳ５５へ進む。一方、操作部５４に指が触れたままであればＹＥＳと判断し、ステップＳ５３へ進む。この例では、ユーザは、テンキーの「２」キーが押下し、操作部５４から指を離すことなく「２」→「８」へなぞっているのでＹＥＳと判断する。そして、ステップＳ５３では、移動量がＳｃ＝２と設定されているので、表示を２行分下方向へスクロールする。
ステップＳ５５では、移動量Ｓｃ＝２をデフォルトのＳｃ＝１に設定し、表示を１行分下方向へスクロールする。
【００２５】
以上のように本発明の実施の形態２の携帯電話機１によれば、実施の形態１と同様の効果が得られる。さらに、ユーザの指がテンキーの押下後、操作部５４から指を離すことなく触れていたときになぞる操作を行ったとき、押下されたテンキーの数字ｎをスクロールの移動量Ｓｃ＝ｎと設定する。そして、ユーザの操作部５４への触れた位置の変化に基づき、設定されたＳｃ＝ｎの移動量で表示している画面のスクロールを行う。一方、ユーザは、テンキーの押下し、操作部５４から指を離したときには、デフォルトの移動量Ｓｃ＝１に設定されるので、簡単にデフォルトの移動量に戻すことができる。
【００２６】
［実施の形態３］
上記実施の形態１では、ユーザはテンキーの「２」キーが押下する。そして、ユーザは一旦操作部５４から指を離し、そして、テンキーの「２」キーに再び触れ、テンキーの「５」キー「８」キーの順になぞる操作を行うこととした。しかし、本実施の形態３では、ユーザがテンキーの「２」キーを押下し、所定時間内にテンキーをなぞる操作を行ったときにのみ、テンキーの数字ｎを移動量Ｓｃ＝ｎのスクロール処理を行うものとする。
【００２７】
本実施の形態３における携帯電話機１の外観は、図１と同一でありここでは説明を省略する。また、メールを受信し、表示し、スクロール処理を行うまでの流れは、実施の形態１における図４のフロー図と同一であるので説明は行わない。この実施の形態３について、図７を参照し説明する。ここで実施の形態１のフロー図５と異なる点は、ステップＳ２５でＮＯと判断したときに進むステップＳ６１である。なお、この図７では、ステップＳ６１以外は図５と同一である。従って、ここではステップＳ６１以外の説明を省略する。
【００２８】
上記の例のように「２」キーを押下し、所定時間内にユーザがテンキーの「２」→「５」→「８」となぞった場合、ステップＳ２５では、移動量がＳｃ＝２と設定されているので、ステップＳ６１へ進む。ステップＳ６１では、テンキーが押下されてから接触位置の移動が検出されるまでに所定時間が経過したか判断する。所定時間を超えていればＹＥＳと判断しステップＳ２７へ進む。ステップＳ２７では、移動量Ｓｃ＝２が設定されていたとしても、デフォルトのＳｃ＝１に設定しなおし、表示を１行分下方向へスクロールする。ステップＳ６１でＮＯと判断した場合は、ステップＳ２９へ進む。ステップＳ２９では、移動量Ｓｃ＝２と設定されているので、表示を２行分下方向へスクロールする。
【００２９】
なお上記の実施の形態３の例では、テンキーが押下された後、所定時間内に操作部５４がなぞられたか判断することを特徴としている。しかし、さらにこの実施の形態３では、なぞる操作を行われた後、ユーザにより所定時間内になぞる操作が繰り返されたときは、移動量Ｓｃ＝ｎの設定のままで表示のスクロールを行うようにしてもよい。
【００３０】
以上のように本発明の実施の形態３の携帯電話機１によれば、実施の形態１との同様の効果が得られる。さらに、ユーザの指がテンキーの押下後、所定時間内に操作部５４をなぞる操作を行ったとき、押下されたテンキーの数字ｎをスクロールの移動量Ｓｃ＝ｎとして、ユーザの操作部５４への触れた位置の変化に基づき、表示している画面のスクロールを行う。一方、ユーザは、テンキーの押下し、所定時間内を超えて操作部５４をなぞる操作を行ったときには、デフォルトの移動量Ｓｃ＝１に設定されるので、簡単にデフォルトの移動量に戻すことができる。
【００３１】
なお、本発明の実施の形態１〜３の携帯電話機１では、操作部５４をなぞる操作が行われたのち、所定のキー、例えばテンキーの「０」キーを押下することにより、なぞる操作を行う必要なく、表示のスクロールが継続して行われるようにしてもよい。
【００３２】
これにより、ユーザは、何度も操作部５４をなぞる操作を行う必要なく、移動量をＳｃ＝ｎとしてｎ行ずつ表示をスクロールすることができる。
【００３３】
また、ｎ行ずつ表示をスクロールしているとき、ユーザがテンキーｍを押すことにより移動量Ｓｃ＝ｍとして設定することとしてもよい。
【００３４】
これにより、ｎ行ずつ表示をスクロールしているときに、ユーザが好きなようにスクロールの移動量を変更し、表示のスクロールを継続することができる。
【００３５】
また、上記実施の形態では、スクロールの移動量の基準を行として説明した。しかし、スクロールの移動量の基準をディスプレイに一度に表示する画面としてもよい。
【００３６】
また、上記実施の形態では、表示のスクロールに基づき説明をしたが、カーソルの移動に適用してもよい。
【００３７】
また、上記実施の形態では、テンキー１８、＊キー１９および＃キー２０を囲む領域には、指やペンなどの物体が接触したときに接触位置を検知するためのタッチセンサ２１を設けたが、この領域に限らず携帯電話機１のいずれも場所に設けてもよい。
【００３８】
また、本発明の実施の形態では、ディスプレイの表示のスクロールについて説明した。しかし、テンキーの押下とタッチセンサ２１の検出結果に基づき、種々の機能の動作を制御することもできる。例えば、音楽データや動画データを再生するメディアプレーヤの早送り、巻戻しやコマ送りなどに適用することができる。具体的には、音楽データを再生しているとき、ユーザが早送りをするため操作部５４のテンキーの「４」→「５」→「６」の順になぞる操作を行う。このときユーザは、なぞる操作を行う前にテンキー「４」キーを押下し、「４」→「５」→「６」の順になぞることにより、早送り速度Ｆｓ＝１をＦｓ＝４と設定し、早送りを行うことが出来るようになる。
【００３９】
また、上記実施の形態２および３に記載した内容も音楽データや動画データを再生するメディアプレーヤの早送り、巻戻しやスロー再生などを行うときに適用することができる。
【図面の簡単な説明】
【００４０】
【図１】携帯電話機の外観の一例を示した図である。また（ａ）は携帯電話機のオープンスタイルを正面から見た図１（ｂ）は携帯電話機のオープンスタイルを背面から見た図である。
【図２】実施の形態１における携帯電話機１の機能構成を示した機能構成図である。
【図３】実施の形態１における携帯電話機１の機能構成を示した機能ブロック図である。
【図４】実施の形態１に適用されるＣＰＵの動作の一部を示すフローチャートである。
【図５】実施の形態１に適用されるスクロール処理の一例を示すフローチャートである。
【図６】実施の形態２に適用されるスクロール処理の一例を示すフローチャートである。
【図７】実施の形態３に適用されるスクロール処理の一例を示すフローチャートである。
【符号の説明】
【００４１】
１    携帯電話機
２    上部筐体
３    ヒンジ部
４    下部筐体
５    表示部
６    スピーカ
７    操作部
８    マイクロホン
９    カメラ装置
３２  アンテナ
３４  無線回路
３６  信号処理回路
３８  ＡＤ／ＤＡ変換器
４０、４２  アンプ
４４  スピーカ
４６  マイクロフォン
４８  ＣＰＵ
５０  電源回路
５２  バッテリ
５４  操作部
５６  タッチセンサ
５８  ディスプレイ
６０  メモリ
６２  時計回路
【図１】
2008252496.tif 000003
【図２】
2008252496.tif 000004
【図３】
2008252496.tif 000005
【図４】
2008252496.tif 000006
【図５】
2008252496.tif 000007
【図６】
2008252496.tif 000008
【図７】
2008252496.tif 000009
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
情報を表示するための表示手段と、
数字が割り当てられた複数のキーを有するキー入力手段と、
前記キー入力手段のキーの入力を受け付ける受付手段と、
物体の接触および接触位置を検出する検出手段と、
前記検出手段により検出された接触位置の変化を検出する位置検出手段と、
前記受付手段によりキーの入力が受け付けられ、前記位置検出手段により接触位置の変化が検出されたとき、受け付けたキーに割り当てられた数字および前記接触位置の変化に基づき、前記表示手段の表示のスクロール制御を行う表示制御手段と
を備えることを特徴とする携帯情報機器。
【請求項２】
前記表示制御手段は、前記接触位置の変化する方向を表示のスクロール方向とすることを特徴とする請求項１に記載の携帯情報機器。
【請求項３】
前記表示制御手段は、前記キーに割り当てられた数字を表示のスクロールの移動量とすることを特徴とする請求項１に記載の携帯情報機器。
【請求項４】
前記表示手段は、情報を行単位で表示し、
前記移動量は、行数とすることを特徴とする請求項３に記載の携帯情報機器。
【請求項５】
前記表示手段は、同時に表示可能な情報を画面単位で表示し、
前記移動量は、画面数とすることを特徴とする請求項３または４に記載の携帯情報機器。
【請求項６】
前記表示制御手段は、前記受付手段でキーの入力を受け付けたのち、位置検出手段により位置の変化を検出するまでの間、検出手段により接触を検出していたときには、前記表示手段の表示のスクロール制御を行うことを特徴とする請求項１乃至５に記載の携帯情報機器。
【請求項７】
前記表示制御手段は、位置検出手段により接触位置の変化が検出され、所定のキーが押下されたとき、スクロール制御を継続することを特徴とする請求項１乃至６に記載の携帯情報機器。
【請求項８】
前記表示制御手段は、前記受付手段によりキーの入力を受け付けてから所定時間内に接触位置の変化が検出されたとき、受け付けたキーに割り当てられた数字および前記接触位置の変化に基づき、前記表示手段の表示のスクロール制御を行うことを特徴とする請求項１乃至７に記載の携帯情報機器。
【請求項９】
情報を再生する再生処理を行う再生手段と、
数字が割り当てられた複数のキーを有するキー入力手段と、
前記キー入力手段のキーの入力を受け付ける受付手段と、
物体の接触および接触位置を検出する検出手段と、
前記検出手段により検出された接触位置の変化を検出する位置検出手段と、
前記受付手段によりキーの入力が受け付けられ、前記位置検出手段により接触位置の変化が検出されたとき、受け付けたキーに割り当てられた数字および前記接触位置の変化に基づき、前記再生手段の再生処理の制御を行う再生制御手段と
を備えることを特徴とする携帯情報機器。
【請求項１０】
前記再生制御手段は、前記キーに割り当てられた数字を再生処理の再生速度として規定することを特徴とする請求項９に記載の携帯情報機器。
【手続補正２】
【補正対象書類名】明細書
【補正対象項目名】００１５
【補正方法】変更
【補正の内容】
【００１５】
次にＣＰＵ４８は、携帯電話機１の各構成の制御を司る機能を備えている。電源回路５０は、バッテリ５２から携帯電話機１の各構成に電源供給を行う。ここでバッテリ５２は、リチウムイオン電池など何れの電池であってもよい。操作部５４は、ユーザ操作を受け付け、受け付けたユーザ操作をＣＰＵ４８へ出力する。この操作部５４は、上述したソフトキー１１ａと１１ｂ、メールキー１２、Ｗｅｂキー１３、十字キー１４、通話キー１５、クリアキー１６、電源キー１７、テンキー１８、＊キー１９および＃キー２０とを含む。タッチセンサ５６は、操作部５４の一部を覆う領域に設けられており、ユーザの指などの誘電体が接触したことおよび接触した位置座標をＣＰＵ４８へ出力する。なお、操作部５４の各キーとタッチセンサ５６は、例えば特開２００５−１８２８４号公報や特開２００５−３３８９４９号公報などで開示されているような公知の構成とする。ディスプレイ５８は、ＣＰＵ４８が指示する情報を表示する。具体的には、メニュー画面、メール、Ｗｅｂ情報、カメラ９で撮影した静止／動画像などを表示するものであり、ＬＣＤ（Ｌｉｑｕｉｄ  Ｃｒｙｓｔａｌ  Ｄｉｓｐｌａｙ）や有機ＥＬ（Ｏｒｇａｎｉｃ  Ｅｌｅｃｔｒｏｌｕｍｉｎｅｓｃｅｎｃｅ  Ｄｉｓｐｌａｙ）などが用いられる。メモリ６０は、携帯電話機１を制御するためのＣＰＵ４８が実行するプログラムや様々なアプリケーション、静止／動画像や音楽データなどを記憶する。このメモリ６０は、情報を記憶するものであればよく、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリやハードディスクなどが用いられる。時計回路６２は、現在の時刻を管理する機能を備えている。さらに、所定時間を計時するタイマー機能の役割も備えている。
【手続補正３】
【補正対象書類名】明細書
【補正対象項目名】００２０
【補正方法】変更
【補正の内容】
【００２０】
図５のステップＳ２１では、ＣＰＵ４８は、タッチセンサ５６から指が触れられたか判断する。指が触れていなければＮＯであり、ステップＳ３１へ進む。上記の例のようにテンキー「２」を押下した場合、ステップＳ２１ではＹＥＳであり、ステップＳ２３へ進む。ステップＳ２３では、指の触れた位置座標が変化したか判断する。ここでは「２」キーに接触されたが、移動していないのでＮＯと判断しステップＳ３３へ進む。ステップＳ３３では、テンキーのいずれかが押下されたか判断する。もしユーザの指が操作部５４には触れているが触れた位置が変化しておらず、テンキーも押下されていない場合には、ＮＯと判断しステップＳ３７へ進む。この例では「２」キーが押下されたのでステップＳ３３ではＹＥＳと判断し、ステップＳ３５へ進む。ステップＳ３５では押下されたテンキーの数字ｎに基づき、デフォルトの移動量Ｓｃ＝１からＳｃ＝ｎへ更新する。なおこのＳｃは、スクロールの移動量を表すものであり、デフォルトはＳｃ＝１である。Ｓｃ＝１の場合は、１回のスクロール指示に対し１行スクロールするものと規定される。ステップＳ３５では、「２」キーが押下されたので１回のスクロール指示に対し２行分スクロールするものと規定し、移動量ＳｃをＳｃ＝１からＳｃ＝２に設定しなおすしステップ３１へ進む。一方、ステップＳ３７では、＊キーまたは＃キーが押下されたか判断する。ＮＯであればステップＳ３１へ進み、ＹＥＳであればステップＳ３９へ進む。ステップＳ３９では、それぞれのキーに割り当てられた処理を行い、ステップＳ３１へ進む。ステップＳ３９のキーに割り当てられた処理とは、例えば、ユーザが＊キーを押下することにより、ＣＰＵ４８は、表示する文字サイズを小さくし、一方、＃キーを押下することにより、表示する文字サイズを大きくするなどのことをいう。ステップＳ３１では、終了指示をされたか判断する。ここで終了指示とは、終話キーの押下や図４のステップＳ１３の他の指示でもよい。上記の例では、「２」キーを押下したのち、指を「５」キーと「８」キーの順になぞる操作を行ったので、ステップＳ３１ではＮＯと判断されステップＳ２１へ戻る。次にステップＳ２１では、ＹＥＳと判断しステップＳ２３へ進む。ステップＳ２３では、ユーザの指は「２」→「５」→「８」キーへと移動したのでＹＥＳと判断し、ステップＳ２５へ進む。ステップＳ２５では、スクロール移動量ＳｃがＳｃ＝１か判断する。ＹＥＳであればステップＳ２７へ進み、画面を１行分下方向へスクロールさせてステップＳ３１へ進む。ここでは、Ｓｃ＝１からＳｃ＝２に更新されているので、ステップＳ２５ではＮＯと判断しステップＳ２９へ進む。ステップＳ２９では、Ｓｃ＝２と記憶されているので画面を２行分下方向へスクロールさせてステップＳ３１へ進む。そして、ステップＳ３１で終了指示がされたと判断されるとＹＥＳでスクロール処理を終了する。
【手続補正４】
【補正対象書類名】明細書
【補正対象項目名】００２１
【補正方法】変更
【補正の内容】
【００２１】
以上のように本発明の実施の形態１の携帯電話機１は、ユーザにより押下されたテンキーの数字ｎをスクロールの移動量Ｓｃ＝ｎと設定する。そして、ユーザの操作部５４への触れた位置の変化に基づき、設定されたＳｃ＝ｎの移動量で表示している画面のスクロールを行う。これによりユーザは、本文が長いメールを読む場合、一度にスクロールしたい量をテンキーの押下により設定できる。そして、キーを押下することなく、画面をスクロールさせたい方向に操作部５４をなぞれることにより簡単にスクロールを行うことができる。
【手続補正５】
【補正対象書類名】明細書
【補正対象項目名】００２２
【補正方法】変更
【補正の内容】
【００２２】
［実施形態２］
上記実施の形態１では、ユーザは、テンキーの「２」キーを押下する。そして、ユーザは一旦操作部５４から指を離し、そして、テンキーの「２」キーに再び触れ、テンキーの「５」キー「８」キーの順になぞる操作を行うこととした。しかし、本実施の形態２では、ユーザは、テンキーの「２」キーを押下する。そして、ユーザは、指を離すことなく操作部５４に触れたまま、テンキーの「５」キー「８」キーの順になぞる操作を行ったときにのみ、テンキーの数字ｎを移動量Ｓｃ＝ｎとしたスクロール処理を行うものとする。
【手続補正６】
【補正対象書類名】明細書
【補正対象項目名】００２４
【補正方法】変更
【補正の内容】
【００２４】
上記の例のように「２」キーを押下し、操作部５４から指を離すことなく、「２」→「５」→「８」となぞった場合、ステップＳ２３では、ユーザの指が「２」から「８」へ移動したのでＹＥＳと判断する。ステップＳ５１では、「２」キーを押下したのち一旦操作部５４から指が離れていればＮＯと判断し、ステップＳ５５へ進む。一方、操作部５４に指が触れたままであればＹＥＳと判断し、ステップＳ５３へ進む。この例では、ユーザは、テンキーの「２」キーを押下し、操作部５４から指を離すことなく「２」→「８」へなぞっているのでＹＥＳと判断する。そして、ステップＳ５３では、移動量がＳｃ＝２と設定されているので、表示を２行分下方向へスクロールする。ステップＳ５５では、移動量Ｓｃ＝２をデフォルトのＳｃ＝１に設定し、表示を１行分下方向へスクロールする。
【手続補正７】
【補正対象書類名】明細書
【補正対象項目名】００２５
【補正方法】変更
【補正の内容】
【００２５】
以上のように本発明の実施の形態２の携帯電話機１によれば、実施の形態１と同様の効果が得られる。さらに、ユーザの指がテンキーの押下後、操作部５４から指を離すことなく触れていたときになぞる操作を行ったとき、押下されたテンキーの数字ｎをスクロールの移動量Ｓｃ＝ｎと設定する。そして、ユーザの操作部５４への触れた位置の変化に基づき、設定されたＳｃ＝ｎの移動量で表示している画面のスクロールを行う。一方、ユーザは、テンキーを押下し、操作部５４から指を離したときには、デフォルトの移動量Ｓｃ＝１に設定されるので、簡単にデフォルトの移動量に戻すことができる。
【手続補正８】
【補正対象書類名】明細書
【補正対象項目名】００２６
【補正方法】変更
【補正の内容】
【００２６】
［実施の形態３］
上記実施の形態１では、ユーザはテンキーの「２」キーを押下する。そして、ユーザは一旦操作部５４から指を離し、そして、テンキーの「２」キーに再び触れ、テンキーの「５」キー「８」キーの順になぞる操作を行うこととした。しかし、本実施の形態３では、ユーザがテンキーの「２」キーを押下し、所定時間内にテンキーをなぞる操作を行ったときにのみ、テンキーの数字ｎを移動量Ｓｃ＝ｎのスクロール処理を行うものとする。
【手続補正９】
【補正対象書類名】明細書
【補正対象項目名】００３０
【補正方法】変更
【補正の内容】
【００３０】
以上のように本発明の実施の形態３の携帯電話機１によれば、実施の形態１と同様の効果が得られる。さらに、ユーザの指がテンキーの押下後、所定時間内に操作部５４をなぞる操作を行ったとき、押下されたテンキーの数字ｎをスクロールの移動量Ｓｃ＝ｎとして、ユーザの操作部５４への触れた位置の変化に基づき、表示している画面のスクロールを行う。一方、ユーザは、テンキーを押下し、所定時間内を超えて操作部５４をなぞる操作を行ったときには、デフォルトの移動量Ｓｃ＝１に設定されるので、簡単にデフォルトの移動量に戻すことができる。
【手続補正１０】
【補正対象書類名】明細書
【補正対象項目名】００３７
【補正方法】変更
【補正の内容】
【００３７】
また、上記実施の形態では、テンキー１８、＊キー１９および＃キー２０を囲む領域には、指やペンなどの物体が接触したときに接触位置を検知するためのタッチセンサ２１を設けたが、この領域に限らず携帯電話機１のいずれの場所に設けてもよい。